(57)【要約】【課題】プロジェクタ型の車両用灯具によってカットオフラインを有する配光パターンを形成する際、カットオフラインの鮮明度を十分に確保した上で、その上方近傍に現れる分光色を目立たなくする。【解決手段】投影レンズ１２として、下部領域１２Ｃの後側焦点Ｆｃが中央領域１２Ａの後側焦点Ｆａよりも前方側に位置する構成とする。下部領域１２Ｃからの出射光はその光入射方向に対して上向きに偏向出射するので、上下方向の分光現象が生じ、短波長成分は出射光の光線束の最上端に位置する。しかしながら、後側焦点Ｆｃは後側焦点Ｆａよりも前方側に位置しているので、下部領域１２Ｃからの出射光の向きは中央領域１２Ａからの出射光に対して下方側に変位し、これにより短波長成分がカットオフラインの上方近傍に上方散乱光として現れてしまうのが未然に防止される。一方、カットオフラインの鮮明度は中央領域１２Ａからの出射光によって十分に確保される。【選択図】図１
2016091682.tif 000002
【特許請求の範囲】
【請求項１】
投影レンズとこの投影レンズの後方に配置された光源とを備え、上記光源からの出射光を上記投影レンズを介して前方へ向けて照射することによりカットオフラインを有する配光パターンを形成するように構成された車両用灯具において、
上記投影レンズは、該投影レンズにおける上下方向の中央に位置する中央領域と、この中央領域の上下両側に位置する上部領域および下部領域とを備えており、
上記下部領域は、該下部領域の後側焦点が上記中央領域の後側焦点よりも前方側に位置するように形成されている、ことを特徴とする車両用灯具。
【請求項２】
上記光源は、発光素子で構成されている、ことを特徴とする請求項１記載の車両用灯具。
【請求項３】
上記上部領域は、該上部領域の後側焦点が上記中央領域の後側焦点よりも後方側に位置するように形成されている、ことを特徴とする請求項１または２記載の車両用灯具。
【請求項４】
上記光源からの出射光を上記投影レンズへ向けて反射させるリフレクタと、このリフレクタからの反射光の一部を遮光するシェードとを備えており、
上記シェードは、該シェードによって遮光した光を上向きに反射させる上向き反射面を有している、ことを特徴とする請求項３記載の車両用灯具。
【発明の詳細な説明】
【技術分野】
【０００１】
本願発明は、プロジェクタ型の車両用灯具に関するものである。
【背景技術】
【０００２】
従来より、投影レンズの後方に配置された光源からの光を、投影レンズを介して前方へ向けて照射するように構成されたプロジェクタ型の車両用灯具が知られている。
【０００３】
「特許文献１」には、カットオフラインを有する配光パターンを形成するように構成されたプロジェクタ型の車両用灯具として、その投影レンズの表面に光拡散機能を持たせるように構成されたものが記載されている。
【先行技術文献】
【特許文献】
【０００４】
【特許文献１】特開２００７−２６５８６４号公報
【発明の概要】
【発明が解決しようとする課題】
【０００５】
上記「特許文献１」に記載された構成を採用することにより、カットオフラインの上方近傍に現れる分光色を目立たなくすることが可能となる。
【０００６】
しかしながら、これを実現するためにはカットオフラインを暈かすことが必要となるので、カットオフラインの鮮明度を十分に確保することが困難となってしまう、という問題がある。
【０００７】
本願発明は、このような事情に鑑みてなされたものであって、カットオフラインを有する配光パターンを形成するように構成されたプロジェクタ型の車両用灯具において、カットオフラインの鮮明度を十分に確保した上で、その上方近傍に現れる分光色を目立たなくすることができる車両用灯具を提供することを目的とするものである。
【課題を解決するための手段】
【０００８】
本願発明は、投影レンズの構成に工夫を施すことにより、上記目的達成を図るようにしたものである。
【０００９】
すなわち、本願発明に係る車両用灯具は、
投影レンズとこの投影レンズの後方に配置された光源とを備え、上記光源からの出射光を上記投影レンズを介して前方へ向けて照射することによりカットオフラインを有する配光パターンを形成するように構成された車両用灯具において、
上記投影レンズは、該投影レンズにおける上下方向の中央に位置する中央領域と、この中央領域の上下両側に位置する上部領域および下部領域とを備えており、
上記下部領域は、該下部領域の後側焦点が上記中央領域の後側焦点よりも前方側に位置するように形成されている、ことを特徴とするものである。
【００１０】
上記「光源」の種類は特に限定されるものではなく、例えば、放電バルブやハロゲンバルブあるいは発光素子（例えば発光ダイオードやレーザダイオード）等が採用可能である。
【００１１】
上記「中央領域」と上記「下部領域」との境界線の具体的な位置は特に限定されるものではない。
【発明の効果】
【００１２】
上記構成に示すように、本願発明に係る車両用灯具は、カットオフラインを有する配光パターンを形成するように構成されたプロジェクタ型の車両用灯具として構成されているが、その投影レンズの下部領域はその後側焦点が中央領域の後側焦点よりも前方側に位置するように形成されているので、次のような作用効果を得ることができる。
【００１３】
すなわち、投影レンズの下部領域から出射する光は、該下部領域への光入射方向に対して上向きに偏向出射する光となるので、上下方向の分光現象が生じ、短波長成分は下部領域から出射する光線束の最上端に位置することとなる。その際、仮に下部領域の後側焦点が中央領域の後側焦点と一致しているとした場合には、この短波長成分がカットオフラインの上方近傍に上方散乱光として現れてしまうこととなる。
【００１４】
しかしながら本願発明においては、下部領域の後側焦点が中央領域の後側焦点よりも前方側に位置しているので、下部領域からの出射光の向きを中央領域からの出射光に対して下方側に変位させることができる。そしてこれにより、下部領域から出射する光の短波長成分がカットオフラインの上方近傍に上方散乱光として現れてしまうのを未然に防止することができる。一方、カットオフラインの鮮明度は、中央領域からの出射光によって十分に確保することができる。
【００１５】
このように本願発明によれば、カットオフラインを有する配光パターンを形成するように構成されたプロジェクタ型の車両用灯具において、カットオフラインの鮮明度を十分に確保した上で、その上方近傍に現れる分光色を目立たなくすることができる。
【００１６】
その際、光源が発光素子で構成されている場合には、その発光スペクトルとして短波長成分を多く含むものとなりやすいので、上記構成を採用することが特に効果的である。
【００１７】
上記構成において、投影レンズの上部領域を、その後側焦点が中央領域の後側焦点よりも後方側に位置するように形成された構成とすれば、次のような作用効果を得ることができる。
【００１８】
すなわち、プロジェクタ型の車両用灯具の構成として、光源からの出射光が投影レンズの上部領域にも入射するような構成となっている場合には、この上部領域から出射する光は該上部領域への光入射方向に対して下向きに偏向出射する光となるので、上下方向の分光現象が生じ、長波長成分は上部領域から出射する光線束の上端に位置することとなる。その際、仮に上部領域の後側焦点が中央領域の後側焦点と一致しているとした場合には、この長波長成分がカットオフラインの上方近傍に上方散乱光として現れてしまうこととなる。
【００１９】
これに対し、上部領域の後側焦点が中央領域の後側焦点よりも後方側に位置する構成とすれば、上部領域からの出射光の向きを中央領域からの出射光に対して下方側に変位させることができる。そしてこれにより、上部領域から出射する長波長成分がカットオフラインの上方近傍に上方散乱光として現れてしまうのを未然に防止することができる。
【００２０】
その際、車両用灯具の構成が、光源からの出射光を投影レンズへ向けて反射させるリフレクタと、このリフレクタからの反射光の一部を遮光するシェードとを備えた構成となっており、かつ、そのシェードが該シェードによって遮光した光を上向きに反射させる上向き反射面を有する構成となっている場合には、光源からの出射光が投影レンズの中央領域および下部領域のみならず上部領域にも入射することとなるので、上記構成を採用することが特に効果的である。
【図面の簡単な説明】
【００２１】
【図１】本願発明の一実施形態に係る車両用灯具を示す側断面図
【図２】上記車両用灯具の主要構成要素を示す斜視図
【図３】上記車両用灯具からの照射光により形成されるロービーム用配光パターンを透視的に示す図
【図４】上記ロービーム用配光パターンの成立ちを説明するための図
【図５】上記実施形態の変形例に係る車両用灯具を示す、図１と同様の図
【発明を実施するための形態】
【００２２】
以下、図面を用いて、本願発明の実施の形態について説明する。
【００２３】
図１は、本願発明の一実施形態に係る車両用灯具１０を示す側断面図である。また、図２は、車両用灯具１０の主要構成要素を示す斜視図である。
【００２４】
これらの図に示すように、本実施形態に係る車両用灯具１０は、ヘッドランプの一部として組み込まれた状態で用いられるロービーム用灯具ユニットであって、プロジェクタ型の灯具ユニットとして構成されている。
【００２５】
すなわち、この車両用灯具１０は、車両前後方向に延びる光軸Ａｘを有する投影レンズ１２と、この投影レンズ１２の後方に配置された光源としての発光素子１４と、この発光素子１４を上方側から覆うように配置され、該発光素子１４からの光を投影レンズ１２へ向けて反射させるリフレクタ１６と、このリフレクタ１６からの反射光の一部を遮光するシェード２０とを備えた構成となっている。
【００２６】
この車両用灯具１０は、ヘッドランプに組み込まれた状態では、その光軸Ａｘが車両前後方向に対して０．５〜０．６°程度下向きの方向に延びた状態で配置されるようになっている。
【００２７】
投影レンズ１２は、前面１２ａが凸面で後面１２ｂが平面の平凸非球面レンズであって、その外周フランジ部１２ｃにおいてレンズホルダ１８に支持されている。このレンズホルダ１８はベース部材２２に支持されている。
【００２８】
この投影レンズ１２は、その上下方向の中央に位置する中央領域１２Ａと、この中央領域１２Ａの上下両側に位置する上部領域１２Ｂおよび下部領域１２Ｃとを備えている。
【００２９】
これら中央領域１２Ａ、上部領域１２Ｂおよび下部領域１２Ｃは、その後側焦点Ｆａ、Ｆｂ、Ｆｃがいずれも光軸Ａｘ上に位置しているが、上部領域１２Ｂの後側焦点Ｆｂは中央領域１２Ａの後側焦点Ｆａよりも後方側に位置しており、下部領域１２Ｃの後側焦点Ｆｃは中央領域１２Ａの後側焦点Ｆａよりも前方側に位置している。
【００３０】
これを実現するため、投影レンズ１２の前面１２ａは、上部領域１２Ｂおよび下部領域１２Ｃの部分が、中央領域１２Ａの延長面（図１において２点鎖線で示す形状）に対して外周縁に向かって上方側に徐々に変位する鉛直断面形状を有している。
【００３１】
そして、この投影レンズ１２は、その中央領域１２Ａにおいては、その後側焦点面（すなわち後側焦点Ｆａを含む焦点面）上に形成される光源像を反転像として灯具前方の仮想鉛直スクリーン上に投影し、その上部領域１２Ｂにおいては、その後側焦点面（すなわち後側焦点Ｆｂを含む焦点面）上に形成される光源像を反転像として上記仮想鉛直スクリーン上に投影し、その下部領域１２Ｃにおいては、その後側焦点面（すなわち後側焦点Ｆｃを含む焦点面）上に形成される光源像を反転像として上記仮想鉛直スクリーン上に投影するようになっている。
【００３２】
その際、中央領域１２Ａの上下幅は、投影レンズ１２の前面１２ａ全体の上下幅に対して０．２〜０．４程度の割合に設定されており、上部領域１２Ｂおよび下部領域１２Ｃは、その残りの部分として前面１２ａ全体の上下幅に対して０．２〜０．４程度の割合にそれぞれ設定されている。
【００３３】
また、中央領域１２Ａの後側焦点Ｆａに対する上部領域１２Ｂの後側焦点Ｆｂの後方変位量および下部領域１２Ｃの後側焦点Ｆｃの前方変位量は、いずれも０．５〜１．５ｍｍ程度（例えば１ｍｍ程度）の値に設定されている。
【００３４】
発光素子１４は白色発光ダイオードであって、横長矩形状の発光面を有している。そして、この発光素子１４は、その発光面を光軸Ａｘを含む水平面上において上向きで左右方向に延びるようにした状態で配置されている。この発光素子１４はベース部材２２に支持されている。
【００３５】
リフレクタ１６の反射面１６ａは、発光素子１４の発光中心を第１焦点とする略楕円面状の曲面で構成されており、その離心率が鉛直断面から水平断面へ向けて徐々に大きくなるように設定されている。そしてこれにより、リフレクタ１６は、発光素子１４からの光を鉛直断面内においては中央領域１２Ａの後側焦点Ｆａのやや前方に位置する点に収束させるとともに水平断面内においてはその収束位置をかなり前方へ移動させるようになっている。このリフレクタ１６はベース部材２２に支持されている。
【００３６】
シェード２０は、板状に形成されており、その上面は金属蒸着処理が施された上向き反射面２０ａとして構成されている。この上向き反射面２０ａは、光軸Ａｘよりも左側（灯具正面視では右側）に位置する左側領域が光軸Ａｘを含む水平面で構成されており、光軸Ａｘよりも右側に位置する右側領域が、短い斜面を介して左側領域よりも一段低い水平面で構成されている。この上向き反射面２０ａの前端縁２０ａ１は、中央領域１２Ａの後側焦点Ｆａから左右両側へ向けて前方側へ湾曲するようにして延びている。このシェード２０はベース部材２２に支持されている。
【００３７】
このシェード２０は、その上向き反射面２０ａにおいて、リフレクタ１６の反射面１６ａから投影レンズ１２へ向かう反射光の一部を遮光した上で、この遮光した光を上向きに反射させて投影レンズ１２に入射させ、これを下向き光として投影レンズ１２から出射させるようになっている。
【００３８】
図３は、車両用灯具１０から前方へ向けて照射される光により、車両前方２５ｍの位置に配置された仮想鉛直スクリーン上に形成されるロービーム用配光パターンＰＬを透視的に示す図である。
【００３９】
このロービーム用配光パターンＰＬは、左配光のロービーム用配光パターンであって、その上端縁に左右段違いのカットオフラインＣＬ１、ＣＬ２を有している。このカットオフラインＣＬ１、ＣＬ２は、灯具正面方向の消点であるＨ−Ｖを鉛直方向に通るＶ−Ｖ線を境にして左右段違いで水平方向に延びており、Ｖ−Ｖ線よりも右側の対向車線側部分が下段カットオフラインＣＬ１として形成されるとともに、Ｖ−Ｖ線よりも左側の自車線側部分が、この下段カットオフラインＣＬ１から傾斜部を介して段上がりになった上段カットオフラインＣＬ２として形成されている。
【００４０】
このロービーム用配光パターンＰＬは、リフレクタ１６で反射した発光素子１４からの光によって投影レンズ１２の後側焦点面上に形成された発光素子１４の光源像を、投影レンズ１２により上記仮想鉛直スクリーン上に反転投影像として投影することにより形成され、そのカットオフラインＣＬ１、ＣＬ２は、シェード２０における上向き反射面２０ａの前端縁２０ａ１の反転投影像として形成されるようになっている。
【００４１】
このロービーム用配光パターンＰＬにおいて、下段カットオフラインＣＬ１とＶ−Ｖ線との交点であるエルボ点Ｅは、Ｈ−Ｖの０．５〜０．６°程度下方に位置している。これは光軸Ａｘが車両前後方向に対して０．５〜０．６°程度下向きの方向に延びていることによるものである。
【００４２】
図４は、ロービーム用配光パターンＰＬの成立ちを説明するために、その主要部を取り出して示す図である。
【００４３】
図４（ａ）は、投影レンズ１２の中央領域１２Ａからの出射光によって形成される配光パターンＰＡである。
【００４４】
この中央領域１２Ａに入射した光は、該中央領域１２Ａを透過する際、上下方向の偏向作用をほとんど受けないので、この中央領域１２Ａからの出射光に上下方向の分光現象が生じることはほとんどない。
【００４５】
このため、配光パターンＰＡは、ロービーム用配光パターンＰＬのカットオフラインＣＬ１、ＣＬ２と同じ位置に明瞭なカットオフラインＣＬ１ａ、ＣＬ２ａを有するものとなる。
【００４６】
図４（ｂ）は、投影レンズ１２の上部領域１２Ｂからの出射光によって形成される配光パターンＰＢである。
【００４７】
この上部領域１２Ｂに入射した光は、該上部領域１２Ｂを透過する際、下向きの偏向作用を受けるので、この上部領域１２Ｂからの出射光には上下方向の分光現象が生じ、黄色光（あるいは赤色光）等の長波長成分がその光線束の最上端に位置することとなる。このため、仮に上部領域１２Ｂの後側焦点Ｆｂが中央領域１２Ａの後側焦点Ｆａと一致しているとした場合には、図４（ｄ）に示す配光パターンＰＢ´のように、ロービーム用配光パターンＰＬのカットオフラインＣＬ１、ＣＬ２と同じ位置にやや不明瞭なカットオフラインＣＬ１ｂ、ＣＬ２ｂが形成され、その上方近傍に上部領域１２Ｂからの出射光の長波長成分が上方散乱光Ｄｂとして帯状に形成されてしまうこととなる。
【００４８】
実際には、上部領域１２Ｂの後側焦点Ｆｂは中央領域１２Ａの後側焦点Ｆａよりも後方側に位置しているので、上部領域１２Ｂからの出射光の向きは中央領域１２Ａからの出射光に対して下方側に変位し、これにより配光パターンＰＢにおいては、そのカットオフラインＣＬ１ｂ、ＣＬ２ｂがロービーム用配光パターンＰＬのカットオフラインＣＬ１、ＣＬ２よりもやや下方側に形成され、その上方散乱光Ｄｂの上端位置がカットオフラインＣＬ１、ＣＬ２と略一致することとなる。
【００４９】
図４（ｃ）は、投影レンズ１２の下部領域１２Ｃからの出射光によって形成される配光パターンＰＣである。
【００５０】
この下部領域１２Ｃに入射した光は、該下部領域１２Ｃを透過する際、上向きの偏向作用を受けるので、この下部領域１２Ｃからの出射光には上下方向の分光現象が生じ、青色光等の短波長成分がその光線束の最上端に位置することとなる。このため、仮に下部領域１２Ｃの後側焦点Ｆｃが中央領域１２Ａの後側焦点Ｆａと一致しているとした場合には、図４（ｅ）に示す配光パターンＰＣ´のように、ロービーム用配光パターンＰＬのカットオフラインＣＬ１、ＣＬ２と同じ位置にやや不明瞭なカットオフラインＣＬ１ｃ、ＣＬ２ｃが形成され、その上方近傍に下部領域１２Ｃからの出射光の長波長成分が上方散乱光Ｄｃとして帯状に形成されてしまうこととなる。
【００５１】
実際には、下部領域１２Ｃの後側焦点Ｆｃは中央領域１２Ａの後側焦点Ｆａよりも前方側に位置しているので、下部領域１２Ｃからの出射光の向きは中央領域１２Ａからの出射光に対して下方側に変位し、これにより配光パターンＰＣにおいては、そのカットオフラインＣＬ１ｃ、ＣＬ２ｃがロービーム用配光パターンＰＬのカットオフラインＣＬ１、ＣＬ２よりもやや下方側に形成され、その上方散乱光Ｄｃの上端位置がカットオフラインＣＬ１、ＣＬ２と略一致することとなる。
【００５２】
ロービーム用配光パターンＰＬは、これら３つの配光パターンＰＡ、ＰＢ、ＰＣの合成配光パターンとして形成されるが、その際、カットオフラインＣＬ１、ＣＬ２は、配光パターンＰＡのカットオフラインＣＬ１ａ、ＣＬ２ａにより形成され、配光パターンＰＢ、ＰＣの上方散乱光Ｄｂ、Ｄｃはその上端位置がカットオフラインＣＬ１、ＣＬ２と略一致したものとなる。
【００５３】
次に本実施形態の作用効果について説明する。
【００５４】
本実施形態に係る車両用灯具１０は、ロービーム用配光パターンＰＬを形成するように構成されたプロジェクタ型の車両用灯具として構成されているが、その投影レンズ１２の下部領域１２Ｃはその後側焦点Ｆｃが中央領域１２Ａの後側焦点Ｆａよりも前方側に位置するように形成されているので、次のような作用効果を得ることができる。
【００５５】
すなわち、投影レンズ１２の下部領域１２Ｃから出射する光は、該下部領域１２Ｃへの光入射方向に対して上向きに偏向出射する光となるので、上下方向の分光現象が生じ、短波長成分は下部領域１２Ｃから出射する光線束の最上端に位置することとなる。その際、仮に下部領域１２Ｃの後側焦点Ｆｃが中央領域１２Ａの後側焦点Ｆａと一致しているとした場合には、この短波長成分がロービーム用配光パターンＰＬのカットオフラインＣＬ１、ＣＬ２の上方近傍に上方散乱光Ｄｃとして現れてしまうこととなる。
【００５６】
しかしながら本実施形態においては、下部領域１２Ｃの後側焦点Ｆｃが中央領域１２Ａの後側焦点Ｆａよりも前方側に位置しているので、下部領域１２Ｃからの出射光の向きを中央領域１２Ａからの出射光に対して下方側に変位させることができる。そしてこれにより、下部領域１２Ｃから出射する光の短波長成分がカットオフラインＣＬ１、ＣＬ２の上方近傍に上方散乱光Ｄｃとして現れてしまうのを未然に防止することができる。一方、カットオフラインＣＬ１、ＣＬ２の鮮明度は、中央領域１２Ａからの出射光によって十分に確保することができる。
【００５７】
このように本実施形態によれば、ロービーム用配光パターンＰＬを形成するように構成されたプロジェクタ型の車両用灯具１０において、カットオフラインＣＬ１、ＣＬ２の鮮明度を十分に確保した上で、その上方近傍に現れる分光色を目立たなくすることができる。
【００５８】
その際、本実施形態に係る車両用灯具１０は、その光源としての発光素子１４が白色発光ダイオードであって、その発光スペクトルとして短波長成分を多く含むものとなっているので、上記構成を採用することが特に効果的である。
【００５９】
ところで、本実施形態に係る車両用灯具１０は、発光素子１４からの出射光を投影レンズ１２へ向けて反射させるリフレクタ１６と、このリフレクタ１６からの反射光の一部を遮光するシェード２０とを備えた構成となっており、かつ、そのシェード２０が該シェード２０によって遮光した光を上向きに反射させる上向き反射面２０ａを有する構成となっているので、発光素子１４からの出射光が投影レンズ１２の中央領域１２Ａおよび下部領域１２Ｃのみならず上部領域１２Ｂにも入射することとなる。
【００６０】
その際、投影レンズ１２の上部領域１２Ｂは、その後側焦点Ｆｂが中央領域１２Ａの後側焦点Ｆａよりも後方側に位置するように形成されているので、次のような作用効果を得ることができる。
【００６１】
すなわち、投影レンズ１２の上部領域１２Ｂから出射する光は、該上部領域１２Ｂへの光入射方向に対して下向きに偏向出射する光となるので、上下方向の分光現象が生じ、長波長成分は上部領域１２Ｂから出射する光線束の最上端に位置することとなる。その際、仮に上部領域１２Ｂの後側焦点Ｆｂが中央領域１２Ａの後側焦点Ｆａと一致しているとした場合には、この長波長成分がロービーム用配光パターンＰＬのカットオフラインＣＬ１、ＣＬ２の上方近傍に上方散乱光Ｄｂとして現れてしまうこととなる。
【００６２】
しかしながら本実施形態においては、上部領域１２Ｂの後側焦点Ｆｂが中央領域１２Ａの後側焦点Ｆａよりも後方側に位置しているので、上部領域１２Ｂからの出射光の向きを中央領域１２Ａからの出射光に対して下方側に変位させることができる。そしてこれにより、上部領域１２Ｂから出射する長波長成分がカットオフラインＣＬ１、ＣＬ２の上方近傍に上方散乱光Ｄｂとして現れてしまうのを未然に防止することができる。
【００６３】
上記実施形態においては、車両用灯具１０が、発光素子１４からの出射光をリフレクタ１６で反射させるように構成されたプロジェクタ型の灯具ユニットであるものとして説明したが、発光素子１４からの出射光を投影レンズ１２へ直接入射させるように構成されたプロジェクタ型の灯具ユニットを採用することも可能である。
【００６４】
上記実施形態においては、車両用灯具１０が、ロービーム用配光パターンＰＬを形成するように構成された灯具ユニットであるものとして説明したが、それ以外の灯具ユニットであっても、上端部にカットオフラインを有する配光パターンを形成するように構成されたものであれば、上記実施形態と同様の構成を採用することにより上記実施形態と同様の作用効果を得ることができる。
【００６５】
次に、上記実施形態の変形例について説明する。
【００６６】
図５は、本変形例に係る車両用灯具１１０を示す、図１と同様の図である。
【００６７】
同図に示すように、この車両用灯具１１０の基本的な構成は上記実施形態の車両用灯具１０と同様であるが、そのシェード１２０の構成が上記実施形態の場合と異なっており、また、発光素子１４の配置および投影レンズ１１２、リフレクタ１１６、ベース部材１２２の構成も上記実施形態の場合と異なっている。
【００６８】
本変形例の投影レンズ１１２も、中央領域１１２Ａとその上下両側に位置する上部領域１１２Ｂおよび下部領域１１２Ｃとを備えた構成となっている。その際、中央領域１１２Ａおよび下部領域１１２Ｃの構成については上記実施形態の中央領域１２Ａおよび下部領域１２Ｃと同様の構成であるが、その上部領域１１２Ｂについては中央領域１１２Ａの前面形状をそのまま延長して形成したような構成を有している。
【００６９】
すなわち、下部領域１１２Ｃの後側焦点Ｆｃは中央領域１１２Ａの後側焦点Ｆａよりも前方側に位置しているが、上部領域１１２Ｂの後側焦点Ｆｂは中央領域１１２Ａの後側焦点Ｆａと一致している。
【００７０】
本変形例の発光素子１４は、その発光面を光軸Ａｘよりも下方側において上向きにした状態で配置されている。また、本変形例のリフレクタ１１６は、その反射面１１６ａの下端縁が上記実施形態のリフレクタ１６よりも下方まで延びるように形成されている。
【００７１】
本変形例のシェード１２０は、鉛直方向に延びる板状部材で構成されており、その上端縁１２０ａは、中央領域１１２Ａの後側焦点Ｆａを通るようにして左右方向に延びている。そして、このシェード１２０は、リフレクタ１１６の反射面１１６ａから投影レンズ１１２へ向かう反射光の一部を遮光するようになっている。
【００７２】
このシェード１２０は、上記実施形態のシェード２０のように上向き反射面２０ａにおいてリフレクタ１６からの反射光の一部を上向きに反射させる構成とはなっていない。したがって、リフレクタ１１６からの反射光は、投影レンズ１１２の中央領域１１２Ａおよび下部領域１１２Ｃには入射するが、その上部領域１１２Ｂには入射しない。
【００７３】
本変形例の構成を採用した場合においても、下部領域１１２Ｃから出射する光の短波長成分がカットオフラインＣＬ１、ＣＬ２の上方近傍に上方散乱光Ｄｃとして現れてしまうのを未然に防止することができる。
【００７４】
また本変形例においては、リフレクタ１１６からの反射光が投影レンズ１１２の上部領域１１２Ｂに入射しないので、上部領域１１２Ｂから出射する光の長波長成分が上記実施形態の場合のようにカットオフラインＣＬ１ｂ、ＣＬ２ｂの上方近傍に上方散乱光Ｄｂとして現れてしまうことはない。
【００７５】
そして、本変形例の投影レンズ１１２は、上部領域１１２Ｂの後側焦点Ｆｂが中央領域１１２Ａの後側焦点Ｆａと一致しているので、カットオフラインＣＬ１、ＣＬ２の鮮明度をより一層高めることができる。
【００７６】
なお、上記実施形態およびその変形例において諸元として示した数値は一例にすぎず、これらを適宜異なる値に設定してもよいことはもちろんである。
【００７７】
また、本願発明は、上記実施形態およびその変形例に記載された構成に限定されるものではなく、これ以外の種々の変更を加えた構成が採用可能である。
【符号の説明】
【００７８】
１０、１１０  車両用灯具
１２、１１２  投影レンズ
１２Ａ、１１２Ａ  中央領域
１２Ｂ、１１２Ｂ  上部領域
１２Ｃ、１１２Ｃ  下部領域
１２ａ  前面
１２ｂ  後面
１２ｃ  外周フランジ部
１４  発光素子（光源）
１６、１１６  リフレクタ
１６ａ、１１６ａ  反射面
１８  レンズホルダ
２０、１２０  シェード
２０ａ  上向き反射面
２０ａ１  前端縁
２２、１２２  ベース部材
１２０ａ  上端縁
Ａｘ  光軸
ＣＬ１、ＣＬ１ａ、ＣＬ１ｂ、ＣＬ１ｃ  下段カットオフライン
ＣＬ２、ＣＬ２ａ、ＣＬ２ｂ、ＣＬ２ｃ  上段カットオフライン
Ｄｂ、Ｄｃ  上方散乱光
Ｅ  エルボ点
Ｆａ、Ｆｂ、Ｆｃ  後側焦点
ＰＡ、ＰＢ、ＰＢ´、ＰＣ、ＰＣ´  配光パターン
ＰＬ  ロービーム用配光パターン（カットオフラインを有する配光パターン）
【図１】
2016091682.tif 000003
【図２】
2016091682.tif 000004
【図３】
2016091682.tif 000005
【図４】
2016091682.tif 000006
【図５】
2016091682.tif 000007